(57)【特許請求の範囲】
【請求項１】
ペン芯ホルダーを保持させた本体とキャップとからなる筆記具において、前記ペン芯ホルダーの外周に係合部を設け、同じく外周に前記ペン芯ホルダーが前記本体に入り込んでしまうのを防止するための係止部を設け、前記係合部と前記係止部の間を溝状に形成し、
前記キャップは一部を削り取ったような形状とし、前記キャップの外周先端部分に突起部を設け、前記突起部の厚さは前記係合部と前記係止部が形成した前記溝状の幅と同じ厚みに設定し、
前記係合部と前記係止部が形成した前記溝状と、前記突起部とを嵌め込んだ状態に係合して、キャップと本体を反対方向に引っ張ることで、ペン芯ホルダーを本体から離脱させることを特徴とする筆記具。
【請求項２】
ペン芯ホルダーを保持させた本体とキャップとからなる筆記具において、前記ペン芯ホルダーの外周に係合部を設け、同じく外周に前記ペン芯ホルダーが前記本体に入り込んでしまうのを防止するための係止部を設け、前記係合部と前記係止部の間を溝状に形成し、
前記キャップは一部を削り取ったような形状とし、前記キャップの外周先端部分に突起部を設け、前記突起部の厚さは前記係合部と前記係止部が形成した前記溝状の幅と同じ厚みに設定し、
前記係合部と前記係止部が形成した前記溝状と、前記突起部とを嵌め込んだ状態に係合して、キャップと本体を反対方向に引っ張ることで、ペン芯ホルダーを本体から離脱させることを特徴とするペン芯ホルダー離脱方法。
【発明の詳細な説明】
【０００１】
【発明の属する技術分野】
本発明は、ペン芯ホルダーを取り外すことのできるマーキングペンやボールペンなどの筆記具に関するものである。
【０００２】
【従来の技術】
フェルトペン芯、プラスチックペン芯、ボールチップ芯といったペン芯を筆記具本体から離脱可能とした筆記具としては、実公昭５１−１４２６２号、実公昭５２−２５０４号、実公昭５２−４６１７５号などが知られている。このような筆記具はペン芯を交換することができるし、また、ペン芯を外したのちインクの補充をすることができる。しかし、ペン芯を直接つかむため傷んでしまい、ペン芯を再利用することはほとんど不可能だった。
そこで、前記ペン芯をホールドするペン芯ホルダーを筆記具本体から離脱可能とした筆記具が発明され、実公昭６２−５３５３号などが公知となっている。このような筆記具はペン芯を傷めることなく交換することができるし、また、ペン芯ホルダーを外したのちインクの補充をすることができる。しかしながら、ペン芯ホルダーと筆記具本体とをねじ嵌合するなど構造が複雑であって、不便なものであった。
【０００３】
【発明が解決しようとする課題】
そこで、本発明は上記課題を克服し、容易な手段でペン芯ホルダーを本体から離脱できる筆記具、及び、その離脱方法を提供する。
【０００４】
【課題を解決するための手段】
ペン芯ホルダーを保持させた本体とキャップとからなる筆記具において、前記ペン芯ホルダーの外周に係合部を設け、同じく外周に前記ペン芯ホルダーが前記本体に入り込んでしまうのを防止するための係止部を設け、前記係合部と前記係止部の間を溝状に形成し、
前記キャップは一部を削り取ったような形状とし、前記キャップの外周先端部分に突起部を設け、前記突起部の厚さは前記係合部と前記係止部が形成した前記溝状の幅と同じ厚みに設定し、
前記係合部と前記係止部が形成した前記溝状と、前記突起部とを嵌め込んだ状態に係合して、キャップと本体を反対方向に引っ張ることで、ペン芯ホルダーを本体から離脱させることを特徴とする筆記具。
また、ペン芯ホルダーを保持させた本体とキャップとからなる筆記具において、前記ペン芯ホルダーの外周に係合部を設け、同じく外周に前記ペン芯ホルダーが前記本体に入り込んでしまうのを防止するための係止部を設け、前記係合部と前記係止部の間を溝状に形成し、
前記キャップは一部を削り取ったような形状とし、前記キャップの外周先端部分に突起部を設け、前記突起部の厚さは前記係合部と前記係止部が形成した前記溝状の幅と同じ厚みに設定し、
前記係合部と前記係止部が形成した前記溝状と、前記突起部とを嵌め込んだ状態に係合して、キャップと本体を反対方向に引っ張ることで、ペン芯ホルダーを本体から離脱させることを特徴とするペン芯ホルダー離脱方法。
【０００５】
【発明の実施の形態】
本発明の筆記具を図１〜図３に示す実施例を用いながら詳細に説明する。
１はペン芯ホルダーであって、外側に係合部２を設けてあり、同じく外側にペン芯ホルダーが本体に入り込んでしまうのを防止するための係止部３が設けてある。また、ペン芯ホルダーの内部にはアクリル繊維からなるペン芯４を保持させてある。本実施例において、前記係合部２と前記係止部３は、ペン芯ホルダー１の外周すべてに突出させてあるので、両者の間が溝状に形成されている。
５は本体であって、先端に前記ペン芯ホルダーを保持させてあり、また、ポリエステル繊維からなるインク吸収体を内蔵している。
６はキャップであって、キャップの一部を削り取ったような形状とし、先端部分に突起部７を設けてある。本実施例において、前記突起部７の厚さは、前記係合部２と前記係止部３が形成した溝状の幅と同じ厚みにして設定してある。
インクを補充したり、ペン芯ホルダー全部を交換するには、まず前記突起部７を前記係合部２に係合させ、具体的には前記突起部７を前記係合部２と前記係止部３が形成した溝状に差し込んで係合させ、キャップ６と本体５を反対方向に引っ張る。そうするとペン芯ホルダー１が本体５から外れるので、必要であれば本体５の開口部からインクを補充する。特に本実施例の場合、突起部７を前記係合部２と前記係止部３が形成した溝状に嵌め込んだ状態となっているので、ペン芯ホルダー１が本体５から外れた後も係合状態を保ち、インクの補充をする間にペン芯ホルダーの置き場所に困らず手指を汚すことがない。その後、キャップ６を持ちペン芯ホルダー１を本体５に差し込めば再度筆記可能な状態に戻る。
【０００６】
本実施例では、パッキン１０を介して本体５に尾栓９が保持されている。また、尾栓９の端に凹部８が設けてある。尾栓を外すには前記キャップ６の突起部７を凹部８に差し込み両者をひねる。そうすると、突起部７の一部が支点として作用し、他の部分が尾栓を押し上げるので、容易に本体５から尾栓９を離脱することができる。又は、キャップの突起部７を凹部８に差し込み両者を引張っても本体５から尾栓９を離脱することができる。
その後は、本体５に内蔵されたインク吸収体を取り出すことができ、分別処理が容易にできる。また、必要であれば本体５の後端開口部からインクを補充することもできる。本発明では前記突起部７がキャップに形成してあるので、ドライバーなどをわざわざ用意しなくても良く、使用者において簡単に分別処理することができる。
【０００７】
他の実施例のキャップ及びペン芯ホルダーを図４〜図１０に示すが、本発明は当該実施例に拘泥されないことは言うまでもない。
図４・図５に示す実施例２のキャップは、キャップの一部を削り取ったような形状の先端部分に、突起部を２ヶ所形成し、その両者の間が溝状になるようにしたものである。
図６・図７に示す実施例３のキャップは、キャップの先端部分に鍔状の突起部を形成したものである。
図８に示す実施例４のペン芯ホルダーは、ペン芯ホルダーの先端部外側に係合部を設け、係合部より突出距離を小さくした係止部を係合部と一体に設けたものであって、階段状の形状を有するものである。本体からペン芯ホルダーを離脱させるには、突起部を係合部に引っ掛け、キャップと本体を反対方向に引っ張る。そうすると両者を離脱させることができる。
図９・図１０に示す実施例５のペン芯ホルダーは、係合部と係止部を一体化した上、係止部の一部に切り欠け１１を設けたものである。本体からペン芯ホルダーを離脱させるには、突起部を切り欠け１１に差し込んで係合部に引っ掛け、キャップと本体を反対方向に引っ張る。そうすると両者を離脱させることができる。
本発明では、これらすべての実施例のキャップ及びペン芯ホルダーのいずれの組み合わせも用いることができ、また、これ以外にも同じ作用効果を得られる形状であればいかなるものも採用可能である。
【０００８】
【発明の効果】
本発明は、容易な構成及び手段でペン芯ホルダーを本体から離脱可能とし、ペン芯ホルダーの交換、及び、インクの補充をすることができる。
【０００９】
【図面の簡単な説明】
【図１】実施例１の全体図。
【図２】実施例１の断面図。
【図３】ペン芯ホルダーを離脱した状態。
【図４】実施例２のキャップの斜視図。
【図５】実施例２のキャップの断面図。
【図６】実施例３のキャップの斜視図。
【図７】実施例３のキャップの断面図。
【図８】実施例４のペン芯ホルダーの断面図。
【図９】実施例５のペン芯ホルダーの断面図。
【図１０】実施例５のペン芯ホルダーの右側面図。
【符号の説明】
１  ペン芯ホルダー
２  係合部
３  係止部
４  ペン芯
５  本体
６  キャップ
７  突起部
８  凹部
９  尾栓
１０  パッキン
１１  切り欠け
【図１】
0004723702.tif 000002
【図２】
0004723702.tif 000003
【図３】
0004723702.tif 000004
【図４】
0004723702.tif 000005
【図５】
0004723702.tif 000006
【図６】
0004723702.tif 000007
【図７】
0004723702.tif 000008
【図８】
0004723702.tif 000009
【図９】
0004723702.tif 000010
【図１０】
0004723702.tif 000011